(57)【特許請求の範囲】
【請求項１】
伝送チャネルを介して伝送された基準信号に応答して、前記伝送チャネルを介して伝送されたデータ信号を復号化して、ＧＡ  ＨＤＴＶシステムにおける残留側波帯（ＶＳＢ）信号に内在する位相誤りを訂正するための位相誤り訂正装置であって、
前記基準信号は予め定めた信号であり、且つ、規則的な時間間隔で繰り返して伝送される、１８０°の位相誤りを訂正するための基準信号を含み、
前記データ信号は、直交振幅変調されている前記ＶＳＢ信号のうちの同相チャネルにおいて、予め定めた絶対値を有する正の値と負の値とを含んでいる、Ｎ／２対の信号の値を有するＮ個（Ｎは、正の偶数）の変調された信号の値のうちのいずれか一つを有するように変調された信号であり、
前記伝送された１８０°の位相誤りを訂正するための基準信号と予め定めた値を有する他の基準信号とを比較して、１８０°の位相誤りの存在可否を示す誤り信号を供給する誤り検出手段と、
前記伝送されたデータ信号の符号を反転して、この反転した伝送されたデータ信号を供給する位相訂正手段と、
前記誤り信号に応答して、前記伝送されたデータ信号または前記反転した伝送データ信号を選択的に供給する切換え手段と、
前記切換え手段を経て、供給される前記伝送されたデータ信号または前記反転した伝送データ信号を復号化する復号化手段と、
を備えることを特徴とするＶＳＢ信号の位相誤り訂正装置。
【請求項２】
前記Ｎが、８であることを特徴とする請求項１に記載のＶＳＢ信号の位相誤り訂正装置。
【請求項３】
前記Ｎが、１６であることを特徴とする請求項１に記載のＶＳＢ信号の位相誤り訂正装置。
【請求項４】
前記位相訂正手段が、前記伝送されたデータ信号の符号ビットと２進数の１との排他的論理和演算を行う手段を含むことを特徴とする請求項１に記載のＶＳＢ信号の位相誤り訂正装置。
【請求項５】
前記復号化手段が、トレリスデコーダであることを特徴とする請求項１に記載のＶＳＢ信号の位相誤り訂正装置。
【請求項６】
前記トレリスデコーダが、軟判定ヴィテルビデコーダであることを特徴とする請求項５に記載のＶＳＢ信号の位相誤り訂正装置。
【請求項７】
前記Ｎ個の変調された信号の値が、−７、−５、−３、−１、１、３、５及び７であることを特徴とする請求項２に記載のＶＳＢ信号の位相誤り訂正装置。
【発明の詳細な説明】
【０００１】
【発明の属する技術分野】
本発明はグランド・アライアンス（Ｇｒａｎｄ  Ａｌｌｉａｎｃｅ：ＧＡ）高精細度テレビジョン（ＨＤＴＶ）システムにおいて、残留側波帯（ＶＳＢ）信号の位相誤りを訂正するための装置に関し、特に、ＧＡ  ＨＤＴＶシステムの受信機における１８０°の位相誤りを訂正するための位相誤り訂正装置に関するものである。
【０００２】
【従来の技術】
ディジタルデータ、例えば、ＨＤＴＶ信号を放送するのに用いるためのディジタル化した映像信号は、地上ＶＨＦ或いはＵＨＦアナログチャネルを通じてエンド・ユーザへと伝送することができる。
そのようなアナログチャネルを介してディジタルデータをやり取りするためには、データを例えば、パルス振幅変調（ＰＡＭ）の一形態に変調するのが好適である。このパルス振幅変調における各信号は、その大きさ（振幅）がディジタルデータによって決まるパルスである。
【０００３】
使用可能なチャネルの帯域幅内で伝送可能なデータの量を増やすために、直交振幅変調（ＱＡＭ）がしばしば用いられる。このＱＡＭはＰＡＭの一形態であり、複数の情報ビットが、例えば、１６または３２個のポイントを含むことができる星座（Ｃｏｎｓｔｅｌｌａｔｉｏｎ）と称されるパターンで伝送される。３２ＱＡＭにおいては、同相（ｉｎ−ｐｈａｓｅ：Ｉ）チャネル及び直交位相（ｑｕａｄｒａｔｕｒｅ−ｐｈａｓｅ：Ｑ）チャネルの各々において例えば−５、−３、ー１、１、３、５の大きさを有するシンボルが用いられる。
【０００４】
一方、最近提案されたＧＡ  ＨＤＴＶシステムでは、ＶＳＢ技法を用いており、この場合には、Ｉチャネルでの地上放送モード用に予め定めた大きさ（例えば、−７、−５、−３、−１、１、３、５及び７）を有する変調信号が、そこにＱチャネル成分を含まないで用いられる。可能な標準ＨＤＴＶシステムにおいてその様なＶＳＢ技法を用いることは、信号の受信が不調の場合に、その信号に追加の特徴を持たせるためである。
信号の伝送過程でのチャネル誤りの影響を低減するために、ＧＡ  ＨＤＴＶシステムにはトレリス（格子）符号化方法が用いられる。更に、ＧＡ  ＨＤＴＶシステムにはデータインターリービング技法及びリードソロモンコード法のような多様な技法が、画質をより一層向上させるために用いられる。
【０００５】
しかしながら、アナログチャネルは入力波形を歪曲するか、変形して伝送する場合がある。このような波形の歪曲は通常、統計的にみて、例えば、起こり得る背景熱雑音、インパルス雑音及びフェージングの付加及び／又は増倍により生ずる。
伝送過程にて誘起される誤りの影響を軽減するために、チャネル等化器及び位相追跡器がＧＡ  ＨＤＴＶシステムの受信機に用いられている。チャネル等化器は、伝送チャネルや受信機内の不完全な素子などから発生する線形チャネルのひずみを補償する。位相追跡器は、ＶＳＢ信号の特性を活用することにより、位相ひずみの影響を除去する。前述したＧＡ  ＨＤＴＶシステムの特徴は、１９９４年１２月７日に提案された「Ｇｒａｎｄ  Ａｌｌｉａｎｃｅ  ＨＤＴＶ  Ｓｙｓｔｅｍ  Ｓｐｅｃｉｆｉｃａｔｉｏｎ  Ｖｅｒｓｉｏｎ  ２．０」に記述されている。
【０００６】
図１及び図２を参照するに、ここには、位相誤りがある８レベルのＶＳＢ信号を示してある。前述したように、ＧＡ  ＨＤＴＶシステムにおいては、ディジタル信号がＩ軸上の８個の予め定めた値のうちの一つを有するように変調される。従って、ＧＡ  ＨＤＴＶシステムの位相追跡器にて、Ｉ軸上に位置していない伝送信号は伝送過程の際、位相誤りの影響を受けたと見なされる。
図１及び図２においては、ＧＡ  ＨＤＴＶシステムの送信機にて発生される元の信号をドットで示し、受信機にて受信された伝送信号を四角形で示してある。
【０００７】
図１は、四角形で図示した伝送信号が位相誤りにより対応する元の信号から歪んだことを図解したもので、この信号は、Ｉ軸成分の大きさのずれに基づいて、正しく伝送された信号から除去することができる。元の信号のＩ成分の大きさをｄで、これに対応する伝送信号のＩ成分の大きさをｄｅで示してある。
しかし、図２に示したように、１８０°の位相誤りがある場合には、伝送信号も図２に示すようにＩ軸上の８個の予め定めた値のうちのいずれか一つの値を有する。従って、１８０°の位相誤りがある伝送信号は反対符号にもかかわらず、ＧＡ  ＨＤＴＶシステムの位相追跡器にて正しい信号として誤認識されるおそれがある。
【０００８】
【発明が解決しようとする課題】
従って、本発明の主目的は、ＧＡ  ＨＤＴＶの受信機にて伝送されたＶＳＢ信号の１８０°の位相誤りを検出し、且つ訂正するための新規な装置を提供することである。
【０００９】
【課題を解決するための手段】
上記の目的を達成するために、本発明によれば、伝送チャネルを介して伝送された基準信号に応答して、前記伝送チャネルを介して伝送されたデータ信号を復号化して、ＧＡ  ＨＤＴＶシステムにおける残留側波帯（ＶＳＢ）信号に内在する位相誤りを訂正するための位相誤り訂正装置であって、前記基準信号は予め定めた信号であり、且つ、規則的な時間間隔で繰り返して伝送される、１８０°の位相誤りを訂正するための基準信号を含み、前記データ信号は、直交振幅変調されている前記ＶＳＢ信号のうちの同相チャネルにおいて、予め定めた絶対値を有する正の値と負の値とを含んでいる、Ｎ／２対の信号の値を有するＮ個（Ｎは、正の偶数）の変調された信号の値のうちのいずれか一つを有するように変調された信号であり、前記伝送された１８０°の位相誤りを訂正するための基準信号と予め定めた値を有する他の基準信号とを比較して、１８０°の位相誤りの存在可否を示す誤り信号を供給する誤り検出手段と、前記伝送されたデータ信号の符号を反転して、この反転した伝送されたデータ信号を供給する位相訂正手段と、前記誤り信号に応答して、前記伝送されたデータ信号または前記反転した伝送データ信号を選択的に供給する切換え手段と、前記切換え手段を経て、供給される前記伝送されたデータ信号または前記反転した伝送データ信号を復号化する復号化手段と、を備えることを特徴とする。
【００１０】
【発明の実施の形態】
以下、本発明を好適な実施例について図面を参照しながら詳細に説明する。
図３には、本発明の復号器１のブロック図を示してある。この復号器１はたたみこみコードを復号化するために、軟判定最大尤度復号化方法(Soft decision maximum likelihood decoding techique)（例えば、ヴィテルビ復号化法）を採用するトレリスデコーダ３０を備えている。伝送信号に内在し得る１８０°の位相誤りの問題を克服するために、誤り検出器４０及び位相訂正器２０がスイッチ１０を介してトレリスデコーダ３０に接続される。
【００１１】
本発明の復号器１への入力信号は、伝送データ信号と伝送基準信号とを含んでいる。伝送データ信号は、本発明の復号器１にて再構成すべきデータ信号が伝送されたものであり、これはスイッチ１０へと供給される。ＧＡ  ＨＤＴＶの送信機にて、データ信号はトレリス符号化され、８または１６レベルのＶＳＢ技法を用いて変調された後、伝送チャネルを経てＧＡ  ＨＤＴＶの受信機へと伝送される。同様に、伝送基準信号は予め定めた基準信号が伝送されたものであり、これは誤り検出器４０へと供給される。
【００１２】
誤り検出器４０は、伝送基準信号の１８０°の位相誤りを検出する働きをする。このため、予め定めた値を有する基準信号を誤り検出器４０の別の入力端子へ供給する。正確な基準信号の値はシステムの設計によって決定され、これは復号器１に前もって知らせておく。誤り検出器４０にて、伝送基準信号と正確な基準信号とを比較することによって１８０°の位相誤りの存在を容易に検出することができる。
通常、チャネル特性の時間的な変化に対処するためにチャネル誤りを繰返し検出し、且つ訂正し得るように、基準信号は規則的な時間間隔で繰返して伝送する必要がある。
【００１３】
当技術分野によく知られているように、映像処理システムの同期化のために、映像信号の一つのフレーム内におけるある位置を示す同期信号が用いられる。例えば、水平同期信号は典型的なテレビ信号の各ラインの端に挿入されている。この同期信号は繰返し挿入され、システムの設計によって予め設定されているため、これは前述した基準信号の要件を満たす。好ましくは、ＧＡ  ＨＤＴＶシステムのフィールド同期信号を基準信号として用いるようにする。
【００１４】
誤り検出器４０においては、伝送基準信号と正確な基準信号とを比較することによってスイッチ１０を制御するためにライン５０に誤り信号を発生させる。この誤り信号に応答してスイッチ１０は、１８０°の位相誤りがない場合に伝送データ信号を直接トレリスデコーダ３０に供給する。１８０°の位相誤りが検出される場合には伝送データ信号は、先ず位相訂正器２０へ供給され、ここで、信号の符号が入力された信号の反対符号に変換されてトレリスデコーダ３０へと供給される。
【００１５】
データ信号または反転されたデータ信号は、トレリスデコーダ３０にて例えば、ヴィテルビアルゴリズムを用いて復号化されて、ＧＡ  ＨＤＴＶの受信器の他の部分（例えば、データデインターリーバ）に供給される。しかし、システム全体の設計及びそこで処理される信号のフォーマットによって、種々のタイプのデコーダをトレリスデコーダ３０の代わりに用いることができる。
【００１６】
位相訂正器２０においては、伝送データ信号の符号を単に変えることによってデータ信号を復元する。例えば、伝送データ信号が多数のデータビットで表現され、その最上位ビット（ＭＳＢ）がその信号の符号を示す場合、１８０°の位相誤りは伝送データ信号のＭＳＢと２進数の１との排他的論理和をとることによって容易に訂正することができる。
上記において、本発明の特定の実施例について説明したが、本発明は本明細書に記載した特許請求の範囲を逸脱することなく、種々の変更を加え得ることは勿論である。
【００１７】
【発明の効果】
従って、本発明によれば、ＧＡ  ＨＤＴＶの受信機において、本発明の復号器を採用することによって、通常の位相追跡器にて検出されなかった１８０°の位相誤りを有効に除去し得るため、画質をより一層改善することができる。
【図面の簡単な説明】
【図１】位相誤りがある場合における８レベルのＶＳＢ信号を示す模式図である。
【図２】１８０゜の位相誤りがある場合における８レベルのＶＳＢ信号を示す模式図である。
【図３】本発明による復号器のブロック図である。
【符号の説明】
１０  スイッチ
２０  位相訂正器
３０  トレリスデコーダ
４０  誤り検出器
【図１】
0004383550.tif 000002
【図２】
0004383550.tif 000003
【図３】
0004383550.tif 000004